(57)【要約】【課題】重量のある断熱材を支持可能な断熱材取り付け具を提供する。【解決手段】建物の基礎部の構造部材に引っ掛けられる係止片と、同係止片の端部から下方に折り曲げられた垂下片と、同垂下片の下端部から折り曲げられ、断熱材を支持する台座とを有する断熱材取り付け具において、台座の端部から支持片が折り曲げられており、同支持片の内端縁は前記垂下片の延長線上にほぼ配置されていることを特徴とする。【選択図】図１
2008261114.tif 000002
【特許請求の範囲】
【請求項１】
建物の基礎部の構造部材に引っ掛けられる係止片と、同係止片の端部から下方に折り曲げられた垂下片と、同垂下片の下端部から折り曲げられ、断熱材を支持する台座とを有する断熱材取り付け具において、
台座の端部から支持片が折り曲げられており、同支持片の内端縁は前記垂下片の延長線上にほぼ配置されていることを特徴とする、断熱材取り付け具。
【請求項２】
係止片又は台座の少なくとも一方に突き刺し片が形成されていることを特徴とする、請求項１に記載の断熱材取り付け具。
【請求項３】
台座に形成した突き刺し片は内方に折り曲げられていることを特徴とする、請求項１又は請求項２に記載の断熱材取り付け具。
【請求項４】
現場サイトで平板部材を折り曲げて作成されることを特徴とする、請求項１乃至請求項３のいずれか一に記載の断熱材取り付け具。
【請求項５】
平板部材に複数のピッチでノッチが形成されていることを特徴とする、請求項１乃至請求項４のいずれか一に記載の断熱材取り付け具。
【請求項６】
垂下片の高さと断熱材の厚みとが略等しくなるように、ノッチで折り曲げて作成されることを特徴とする、請求項１乃至請求項５のいずれか一に記載の断熱材取り付け具。
【請求項７】
請求項１乃至請求項６に記載の断熱材取り付け具を用いた床断熱構造の施工方法であって、
断熱材取り付け具の係止片を建物の基礎部の構造部材に引っ掛けて取り付け、
前記断熱材取り付け具の相互間に上方から断熱材を嵌め込み、同断熱材取り付け具の支持片が前記構造部材の側面に接触するまで押し込んで、台座に断熱材を支持させ、
前記断熱材の上面に床下地材を敷設することを特徴とする、床断熱構造の施工方法。
【請求項８】
請求項１乃至請求項６に記載の断熱材取り付け具を用いた床断熱構造の施工方法であって、
断熱材取り付け具の上面と断熱材の上面とが略面一となるように、前記断熱材取り付け具の台座の外方端部を前記断熱材の側部に差し込み、
前記断熱材に差し込んだ各々の断熱材取り付け具を建物の基礎部の構造部材に取り付け、前記断熱材を向かい合う構造部材の間に配置して、前記断熱材取り付け具の台座に断熱材を支持させ、
前記断熱材の上面に床下地材を敷設することを特徴とする、床断熱構造の施工方法。
【発明の詳細な説明】
【技術分野】
【０００１】
この発明は、断熱材取り付け具及びそれを用いた床断熱構造の施工方法の技術分野に属する。
【背景技術】
【０００２】
従来から建物の基礎部の構造部材である根太や大引等の間に断熱材を配置し、建物の断熱効果が高められている。その際に、断熱材を支持するべく、構造部材に断熱材取り付け具が取り付けられるが、一般的に構造部材に引っ掛けられる係止片と、同係止片の端部から下方に折り曲げられた垂下片と、同垂下片の下端部から略水平に折り曲げられ、断熱材を支持する台座とを有する構成とされている（例えば、特許文献１を参照）。
【０００３】
【特許文献１】特公昭５６−１９４２４号公報
【発明の開示】
【発明が解決しようとする課題】
【０００４】
上記構成の断熱材取り付け具は、台座の支持力のみで断熱材を支持している。そのため、比較的厚みの薄い断熱材であれば支持できるが、厚みの厚い断熱材を支持する場合には、その自重が大きくなるため、台座が強度不足により下方に折れ曲がり、支持できない可能性がある。特に、根太を省略した大引間断熱の場合には、スパンが大きいため断熱材が大判となり、強度が必要とされる。
【０００５】
本発明の目的は、重量のある断熱材を支持可能な断熱材取り付け具及びそれを用いた床断熱構造の施工方法を提供することである。
【課題を解決するための手段】
【０００６】
上記背景技術の課題を解決するための手段として、請求項１に記載した発明に係る断熱材取り付け具は、
建物の基礎部の構造部材に引っ掛けられる係止片と、同係止片の端部から下方に折り曲げられた垂下片と、同垂下片の下端部から折り曲げられ、断熱材を支持する台座とを有する断熱材取り付け具において、
台座の端部から支持片が折り曲げられており、同支持片の内端縁は前記垂下片の延長線上にほぼ配置されていることを特徴とする。
【０００７】
請求項２記載の発明は、請求項１に記載の断熱材取り付け具において、
係止片又は台座の少なくとも一方に突き刺し片が形成されていることを特徴とする。
【０００８】
請求項３記載の発明は、請求項１又は請求項２に記載の断熱材取り付け具において、
台座に形成した突き刺し片は内方に折り曲げられていることを特徴とする。
【０００９】
請求項４記載の発明は、請求項１乃至請求項３のいずれか一に記載の断熱材取り付け具において、
現場サイトで平板部材を折り曲げて作成されることを特徴とする。
【００１０】
請求項５記載の発明は、請求項１乃至請求項４のいずれか一に記載の断熱材取り付け具において、
平板部材に複数のピッチでノッチが形成されていることを特徴とする。
【００１１】
請求項６記載の発明は、請求項１乃至請求項５のいずれか一に記載の断熱材取り付け具において、
垂下片の高さと断熱材の厚みとが略等しくなるように、ノッチで折り曲げて作成されることを特徴とする。
【００１２】
請求項７に記載した発明に係る床断熱構造の施工方法は、
請求項１乃至請求項６に記載の断熱材取り付け具を用いた床断熱構造の施工方法であって、
断熱材取り付け具の係止片を建物の基礎部の構造部材に引っ掛けて取り付け、
前記断熱材取り付け具の相互間に上方から断熱材を嵌め込み、同断熱材取り付け具の支持片が前記構造部材の側面に接触するまで押し込んで、台座に断熱材を支持させ、
前記断熱材の上面に床下地材を敷設することを特徴とする。
【００１３】
請求項８に記載した発明に係る床断熱構造の施工方法は、
請求項１乃至請求項６に記載の断熱材取り付け具を用いた床断熱構造の施工方法であって、
断熱材取り付け具の上面と断熱材の上面とが略面一となるように、前記断熱材取り付け具の台座の外方端部を前記断熱材の側部に差し込み、
前記断熱材に差し込んだ各々の断熱材取り付け具を建物の基礎部の構造部材に取り付け、前記断熱材を向かい合う構造部材の間に配置して、前記断熱材取り付け具の台座に断熱材を支持させ、
前記断熱材の上面に床下地材を敷設することを特徴とする。
【発明の効果】
【００１４】
本発明に係る断熱材取り付け具及びそれを用いた床断熱構造の施工方法は、断熱材取り付け具の台座に断熱材を支持した際に、支持片の内端縁が構造部材である根太や大引等の側面に接触するので、断熱材の荷重を前記構造部材に伝達することができ、前記構造部材に反力をとって重量のある断熱材を支持することができる。特に、スパンが大きい大引間に断熱材を配置しても、良好に断熱材を支持することができる。
【発明を実施するための最良の形態】
【００１５】
本発明に係る断熱材取り付け具及びそれを用いた床断熱構造の施工方法の実施形態を図面に基いて説明する。
【００１６】
＜実施形態１＞
本実施形態の断熱材取り付け具１は、通例の断熱材取り付け具と略同様に、建物２の基礎部３の構造部材である根太４（但し、大引でも可能。）に引っ掛けられる係止片５と、同係止片５の端部から下方に折り曲げられた垂下片６と、同垂下片６の下端部から略水平に折り曲げられ、載置された断熱材７を支持する台座８とを有する。特に、台座８の端部から支持片９が折り曲げられており、同支持片９の内端縁９ａは前記垂下片６の延長線Ｌ上にほぼ配置されていることを特徴とする（図１を参照）。断熱材取り付け具１の台座８に断熱材７を載置し支持した際に、支持片９の内端縁９ａが根太４の側面に接触するので、断熱材７の荷重を根太４に伝達することができ、根太４に反力をとって重量のある断熱材７を支持することができる（図２を参照）。特に、スパンが大きい大引間に断熱材を配置しても、良好に断熱材を支持することができる。ちなみに、支持片９の内端縁９ａは、台座８で断熱材７を支持した際に、根太４に接触可能な範囲で、垂下片６の延長線Ｌ上からズレていても良い（以下の実施形態でも同様）。
【００１７】
具体的に断熱材取り付け具１の構成を説明する。
【００１８】
断熱材取り付け具１の材料としては、ガルバリウム鋼板又は亜鉛メッキ鋼板などの表面処理を施した鉄、ステンレス等の耐食性を有する金属が好ましく、その厚さは人が折り曲げることが可能で、かつ断熱材７を支持するための強度を備え、さらにはコストを考慮して０．３ｍｍ〜０．５ｍｍ程度が好ましい。幅寸法は、断熱材７を支持するべく根太４に取り付けられる個数、断熱材７の重量等を考慮して決定されるが、例えば１５ｍｍ程度とされる。
【００１９】
係止片５は、根太４の幅寸法と略等しい長さを有し、例えば４５ｍｍ程度とされており、その左右両端部から略鉛直下方に折り曲げられ形成された垂下片６と連続している。この係止片５の所定の位置は三角形状の底辺を残して打ち抜かれており、前記の打ち抜き部を略鉛直下方に折り曲げて突き刺し片１０が形成されている（請求項２記載の発明）。係止片５の突き刺し片１０を根太４に打ち込むと、断熱材取り付け具１を根太４に取り付けることができる。
【００２０】
垂下片６は、断熱材７の厚さｈと略等しい高さＨを有し、例えば３０ｍｍ程度とされており、その下端部から外方に向かって略水平に折り曲げられ形成された台座８と連続している。この垂下片６の所定の位置は長細い五角形状の底辺を残して打ち抜かれており、前記の打ち抜き部を外方に向かってく字形状に折り曲げて板バネ１１が形成されている。根太４と４の間に断熱材７を配置し、同断熱材７を断熱材取り付け具１で支持する際に、断熱材７の側面を前記板バネ１１でしっかりと拘束することができる。
【００２１】
台座８の張り出し長さは、断熱材７の重量等を考慮して決定されるが、例えば２０ｍｍ程度とされており、台座８の垂下片６を挟む両側の端部から下方に向かって折り曲げられ形成された支持片９と連続している。ちなみに、この台座８の所定の位置にも上方に向かって突き刺し片が形成されていると、前記突き刺し片を断熱材７の底面に差し込んで固定することができる（図示は省略）。
【００２２】
支持片９は直角三角形に形成されており、その直角を挟む一方の辺が台座８と連続し、他方の辺が内端縁９ａとなるように配置されている。内端縁９ａの高さは、支持する断熱材７の重量等によって決定されるが、例えば２０ｍｍ程度とされる。
【００２３】
上記構成の断熱材取り付け具１は、プレス加工によって作成することができるが、現場サイトで平板部材を折り曲げて作成することもできる。このとき、平板部材に予め複数のピッチでノッチ１２を形成しておき、垂下片６の高さＨと断熱材７の厚みｈとが略等しくなるように、前記ノッチ１２で折り曲げて作成すると良い（請求項４〜６記載の発明）。断熱材７を根太４と４の間に配置した際に、断熱材７の上面と根太４の上面とを略面一とすることができ、断熱材７の上面と床下地材１３（図４）の下面とを密着させることができる。そのため、断熱性が高い。
【００２４】
上記構成の断熱材取り付け具１を用いて建物の床断熱構造は、例えば以下のように施工される。
【００２５】
先ず、断熱材取り付け具１の係止片５を、建物２の基礎部３において大引１４と１４の間に架け渡された複数の根太４に所定の間隔で引っ掛けて取り付ける（図３を参照）。このとき、基礎部３の内方位置に配置されている根太４には、上記構成の断熱材取り付け具１を用い、基礎部３の周縁位置に配置されている、きわ根太４’には、係止片５の適当な位置で切断した断熱材取り付け具１’を用いる。
【００２６】
次に、根太４と４（４’）の間において、向かい合う断熱材取り付け具１と１（１’）の間に上方から断熱材７を嵌め込み、同断熱材取り付け具１（１’）の支持片９の内端縁９ａが前記根太４（４’）の側面に接触するまで押し込んで、台座８上に断熱材７を載置し支持する。
【００２７】
最後に、断熱材７の上面に床下地材１３を敷設する（図４を参照、請求項７記載の発明）。
【００２８】
上述したように、断熱材取り付け具１（１’）の支持片９の内端縁９ａが根太４（４’）の側面に接触しているので、断熱材７の荷重を根太４（４’）に伝達することができ、根太４（４’）に反力をとって重量のある断熱材７を支持することができる。特に、スパンが大きい大引間に断熱材を配置しても、良好に断熱材を支持することができる。
【００２９】
ちなみに、断熱材７としては、軽量で耐水性・断熱性・耐圧性に優れたものが好ましく、独立気泡を有する合成樹脂発泡体が好適である。具体的には、例えばポリスチレン系発泡体、ポリエチレン系発泡体、ポリプロピレン系発泡体、ポリウレタン系発泡体、フェノール系発泡体等の独立気泡を有する合成樹脂発泡体が好適である。特に、押出発泡ポリスチレン（商品名「スタイロフォーム」：ダウ化工（株）製）は、その高い断熱性及び低い吸水性の故に最も好ましい。
【００３０】
＜実施形態２＞
上記実施形態１の断熱材取り付け具１は、台座８に断熱材７を載置し支持する構成とされているが、この限りでない。
【００３１】
即ち、本実施形態の断熱材取り付け具１０１は、上記実施形態１の断熱材取り付け具１と略同様の構成とされているが、台座８の外方端部（先端部）を断熱材７の側部に差し込んで支持する構成とされている（図５を参照）。この断熱材取り付け具１０１を用いて床断熱構造を施工する際には、先ず前記断熱材取り付け具１０１の上面と断熱材７の上面とが略面一となるように、断熱材取り付け具１０１の台座８の外方端部を断熱材７の側部に差し込み、その断熱材７に差し込んだ各々の断熱材取り付け具１０１を根太４に取り付けて、前記断熱材７を向かい合う根太４と４の間に配置し、前記断熱材取り付け具１０１の台座８に断熱材７を支持させる。最後に前記断熱材７の上面に床下地材を敷設する（請求項８記載の発明）。そのため、断熱材取り付け具１０１は断熱材７の厚みを問わずに用いることができ、汎用性が高い。
【００３２】
なお、台座８は先端部が尖った形状とされていると、断熱材７に差し込みやすく、例えば平面五角形状に形成される。また、台座８の所定の位置に内方に向かって折り曲げられた突き刺し片１５が形成されていると、断熱材７を突き刺す時に抵抗なく突き刺すことができ、一度突き刺されると、抜け難くなり好都合である（請求項３記載の発明）。
【００３３】
しかも、断熱材取り付け具１０１の台座８等が断熱材７に差し込まれ露出しないので、熱橋とならず、断熱性の点で優れている。
【００３４】
＜実施形態３＞
上記実施形態１の断熱材取り付け具１は、支持片９が台座８の垂下片６を挟む両側の端部から下方に向かって折り曲げて形成しているが、この限りでない。
【００３５】
即ち、本実施形態の断熱材取り付け具２０１は、上記実施形態１、２の断熱材取り付け具１、１０１と略同様の構成とされているが、台座８の外方端部から内方に折り曲げて形成されている（図６を参照）。
【００３６】
＜実施形態４＞
上記実施形態１の断熱材取り付け具１は、支持片９が直角三角形に形成されているが、形状は特に限定されず、要するに、支持片９の内端縁９ａが垂下片６の延長線Ｌ上にほぼ配置されていれば良い。
【００３７】
＜実施形態５＞
上記実施形態１の断熱材取り付け具１等は、係止片５と垂下片６との折り曲げ角度が略９０度であったが、前記折り曲げ角度は９０度以上であっても良い。例えば上記実施形態１の断熱材取り付け具１と略同様の構成とし、前記折り曲げ角度のみを１００度程度とした断熱材取り付け具３０１を用いて説明すると、上記実施形態１と同様に前記断熱材取り付け具３０１の係止片５を根太４に取り付けるが、その際に垂下片６と根太４との間に前記折り曲げ角度に起因する隙間Ｔが生じる（図７を参照）。この隙間Ｔがなくなり、垂下片６、しいては支持片９の内端縁９ａが根太４に接触するように、断熱材７を押し込み台座８に支持させる。その際、外方に向かって垂下片６の復元力が生じるので、垂下片６が板バネの役割を担い、押し込んだ断熱材７の側部を良好に拘束することができる。
【図面の簡単な説明】
【００３８】
【図１】（Ａ）は実施形態１の断熱材取り付け具を示した正面図である。（Ｂ）は平面図である。（Ｃ）は側面図である。
【図２】断熱材取り付け具で断熱材を支持した状態を示した部分断面図である。
【図３】（Ａ）は実施形態１の断熱材取り付け具を用いた床断熱構造の施工方法の工程図である。（Ｂ）は断熱材取り付け具を根太に取り付けた状態を示した部分断面図である。
【図４】実施形態１の断熱材取り付け具を用いた床断熱構造の施工方法の工程図である。
【図５】（Ａ）は実施形態２の断熱材取り付け具で断熱材を支持した状態を示した部分断面図である。（Ｂ）は平面図である。
【図６】実施形態３の断熱材取り付け具を示した部分拡大図である。
【図７】実施形態５の断熱材取り付け具で断熱材を支持する状態を示した部分断面図である。
【符号の説明】
【００３９】
１、１０１、２０１、３０１  断熱材取り付け具
２  建物
３  基礎部
４  根太
５  係止片
６  垂下片
７  断熱材
８  台座
９  支持片
９ａ  支持片の内端縁
１０  突き刺し片
１１  板バネ
１２  ノッチ
１３  床下地材
１４  大引
１５  突き刺し片
【図１】
2008261114.tif 000003
【図２】
2008261114.tif 000004
【図３】
2008261114.tif 000005
【図４】
2008261114.tif 000006
【図５】
2008261114.tif 000007
【図６】
2008261114.tif 000008
【図７】
2008261114.tif 000009